(57)【要約】【課題】  音声入力機能を備えた画像形成装置において、意図しない音声に対する誤動作を防止することのできる画像形成装置を提供する。【解決手段】  音声入力手段を有する画像形成装置において、前記音声入力手段からの入力を有効とする音声入力モードと、操作パネル上のキー入力を有効とするキー入力モードと、前記音声入力モードの開始から起動されるタイマー手段と、前記タイマー手段の計数時間を設定するタイマー設定手段と、前記タイマー手段によるタイマー時間と設定手段により設定された時間との一致を判断し、前記キー入力モードを自動的に設定する制御手段とを有することを特徴とする。【選択図】        図１
2006167961.tif 000002
【特許請求の範囲】
【請求項１】
音声入力手段を有する画像形成装置において、
前記音声入力手段からの入力を有効とする音声入力モードと、
操作パネル上のキー入力を有効とするキー入力モードと、
前記音声入力モードの開始から起動されるタイマー手段と、
前記タイマー手段の計数時間を設定するタイマー設定手段と、
前記タイマー手段によるタイマー時間と設定手段により設定された時間との一致を判断し、前記キー入力モードを自動的に設定する制御手段とを有することを特徴とする画像形成装置。
【請求項２】
音声入力手段を有する画像形成装置において、
前記音声入力手段からの入力を有効とする音声入力モードと、
操作パネル上のキー入力を有効とするキー入力モードと、
前記音声入力モードによって設定された画像形成動作の終了から起動されるタイマー手段と、
前記タイマー手段の計数時間を設定するタイマー設定手段と、
前記タイマー手段によるタイマー時間と設定手段により設定された時間との一致を判断し、前記キー入力モードを自動的に設定する制御手段とを有することを特徴とする画像形成装置。
【請求項３】
音声入力手段を有する画像形成装置において、
前記音声入力手段からの入力を有効とする音声入力モードと、
操作パネル上のキー入力を有効とするキー入力モードと、
前記音声入力モードによって設定された画像形成動作の終了を検出する検出手段と、
前記検出手段の出力に応じて、前記キー入力モードを自動的に設定する制御手段とを有することを特徴とする画像形成装置。
【発明の詳細な説明】
【技術分野】
【０００１】
本発明は音声入力によりモード設定等の操作が可能な複写機等の画像形成装置に関するものである。
【背景技術】
【０００２】
従来、この様な画像形成装置において、操作パネル上のキー入力による設定以外に音声による入力で各種モードの設定が行えるものが考案されている。
【特許文献１】特開平５−３３３９８８号公報
【発明の開示】
【発明が解決しようとする課題】
【０００３】
しかしながら、音声入力モードのまま、装置が放置されている場合、装置の周囲にいる人の話声など、予期しない外部からの音声等によって、音声認識が誤認識してしまうことが考えられる。この場合は装置が予期しない動作をする可能性があった。
【０００４】
本発明は、上述の問題点に着目してなされたものであって、音声認識の誤認識による装置の予期しない動作を防止することができる画像形成装置を提供することを目的とする。
【課題を解決するための手段】
【０００５】
本発明は、上記課題を解決するために、音声入力手段を有する画像形成装置において、前記音声入力手段からの入力を有効とする音声入力モードと、操作パネル上のキー入力を有効とするキー入力モードと、前記音声入力モードの開始から起動されるタイマー手段と、前記タイマー手段の計数時間を設定するタイマー設定手段と、前記タイマー手段によるタイマー時間と設定手段により設定された時間との一致を判断し、前記キー入力モードを自動的に設定する制御手段とを有することによって前記の問題点を解決しようとするものである。
【０００６】
また、音声入力手段を有する画像形成装置において、前記音声入力手段からの入力を有効とする音声入力モードと、操作パネル上のキー入力を有効とするキー入力モードと、前記音声入力モードによって設定された画像形成動作の終了から起動されるタイマー手段と、前記タイマー手段の計数時間を設定するタイマー設定手段と、前記タイマー手段によるタイマー時間と設定手段により設定された時間との一致を判断し、前記キー入力モードを自動的に設定する制御手段とを有することによっても前記の問題点を解決しようとするものである。
【０００７】
また、音声入力手段を有する画像形成装置において、前記音声入力手段からの入力を有効とする音声入力モードと、操作パネル上のキー入力を有効とするキー入力モードと、前記音声入力モードによって設定された画像形成動作の終了を検出する検出手段と、前記検出手段の出力に応じて、前記キー入力モードを自動的に設定する制御手段とを有することによっても前記の問題点を解決しようとするものである。
【発明の効果】
【０００８】
本発明では、音声入力を許可するモードに入ってからの入りっぱなしを防止するような制御を行える構成としたので、従来の様に装置が音声入力モードに入ったまま放置される状態を最小限にすることが可能となり、音声認識の誤認識による装置の予期しない動作を防止することができる。
【発明を実施するための最良の形態】
【０００９】
以下に、図面を参照して本発明の実施例を説明する。
【実施例】
【００１０】
図１は本発明の画像形成装置の音声入出力ユニット２１６を示すブロック図である。
【００１１】
音声入出力ユニット２１６は、ＣＰＵ５０３からＣＰＵバスを介して入力された音声データをスピーカー２１７もしくはハンドセット２１８から音声出力する回路と、ハンドセット２１８から音声入力された音声データをＣＰＵ５０３に対しＣＰＵバスを介して入力する回路から構成される。５０３は音声入出力ユニット２１６の制御及び入力音声の音声認識を行うＣＰＵであり、装置の制御手順（制御プログラム）を記憶した読み取り専用メモリ５０４（ＲＯＭ）からプログラムを順次読み取り、実行する。音声認識については、公知のＤＰマッチング法あるいはＨＭＭ（Ｈｉｄｄｅｎ  Ｍａｒｋｏｖ  Ｍｏｄｅｌ）手法を用いる。５０５は入力データの記憶や作業用記憶領域等として用いる主記憶装置であるところのランダムアクセスメモリ（ＲＡＭ）である。５０６は操作パネル全体の制御を行うＣＰＵ４０１との通信用のＤＰＲＡＭ（デュアルポートＲＡＭ）であり、このＲＡＭを介して、ＣＰＵ４０１とデータのやり取りを行う。
【００１２】
２１７はスピーカーであり、アンプ５２８から入力されたアナログ信号を音声出力する。２１８はハンドセットであり、アンプ５２７から入力されたアナログ信号の音声出力と、音声入力したアナログ信号をアンプ５３７への出力と、ハンドセット２１８のオンフック、オフフック検知信号をレジスタ制御部５１３への出力を行う。５１１はバスＩ／Ｆ制御部であり、ＦＩＦＯ  ５２１、５３１への読み書きタイミングを生成させる為にタイミング制御部５１２へ制御信号を入力し、ＣＰＵ５０３のＣＰＵバスとＦＩＦＯ  ５２１、５３１間の音声データのやり取りを行う。また、レジスタ制御部５１３の各種レジスタへの読み書きと、割り込み生成部５１５によって入力された割り込み信号をもとにＣＰＵ５０３へ割り込みも行う。５１２はタイミング制御部であり、バスＩ／Ｆ制御部５１１の制御信号とレジスタ制御部５１３のコントロールレジスタとステータスレジスタに従ってＦＩＦＯ  ５２１、５３１への読み書きのタイミング制御を行うものである。また、ＦＩＦＯ  ５２１、５３１の書込み位置、読出し位置を示すアドレスをレジスタ制御部５１３のカウンタレジスタとして持ち、そのカウントアップ制御も行う。５１３はレジスタ制御部であり、バスＩ／Ｆ制御部５１１、タイミング制御部５１２、アンプＯＮ＿ＯＦＦ制御部５１４、割り込み生成部５１５、Ａ／Ｄ，Ｄ／Ａ制御部５１６、データ変換部５２２、５２４、５３２、５３４、補間部５２３、間引き部５３３で利用されるステータスレジスタ、コントロールレジスタ、カウンタレジスタを含み、これらレジスタの制御も行う。この制御例として、ハンドセット２１８から入力されたオンフック、オフフック検知信号によってステータスレジスタのＯＮ＿ＯＦＦを切り換えたり、ＦＩＦＯ  ５２１、５３１の書込み位置、読出し位置を示すカウンタレジスタがＦＩＦＯサイズに達した時にステータスレジスタを立てたり、音声入出力ユニット２１６の処理終了を示すステータスレジスタを立てたりすることが挙げられる。５１４はアンプＯＮ＿ＯＦＦ制御部であり、レジスタ制御部５１３のコントロールレジスタに従ってアンプ５２７、５２８、５３７のＯＮ＿ＯＦＦ制御を行う。このコントロールレジスタはバスＩ／Ｆ制御部５１１を介し、ＣＰＵ５０３から制御される。また、オンフック、オフフックを示すステータスレジスタによってＯＮ＿ＯＦＦ制御される場合もある。５１５は割り込み生成部であり、レジスタ制御部５１３のステータスレジスタのステータスに変化があったときに割り込み信号を生成し、バスＩ／Ｆ制御部５１１を介してＣＰＵ５０３に割り込み信号を出力する。ここで、割り込み信号を生成する例として、ハンドセット５０２のオンフック、オフフック検知したとき、ＦＩＦＯ  ５２１、５３１の読み書きが終了したとき、音声入出力ユニット２１６の処理が終了したときなどが挙げられる。５１６はＡ／Ｄ，Ｄ／Ａ制御部であり、レジスタ制御部５１３のコントロールレジスタに従ってＤ／Ａ変換部５２５  とＡ／Ｄ変換部５３５のサンプリング周波数変更、ＯＮ＿ＯＦＦ制御、変換開始制御を行う。このコントロールレジスタはバスＩ／Ｆ制御部５１１を介し、ＣＰＵ５０３から制御される。また、オンフック、オフフックを���すステータスレジスタによってＯＮ＿ＯＦＦ制御される場合もある。５２１、５３１はＦＩＦＯ（Ｆｉｒｓｔ  Ｉｎ  Ｆｉｒｓｔ  Ｏｕｔ）であり、音声データ用のバッファメモリである。ここで、このＦＩＦＯはダブルバッファ構成であってもよい。５２２、５２４、５３２、５３４はデータ変換部であり、補間部５２３あるいは間引き部５３３のようにデータ処理で使用するデータ幅と、ＦＩＦＯ  ５２１、５３１あるいはＤ／Ａ変換部５２５、Ａ／Ｄ変換部５３５とのデータ幅を合わせるためのデータ変換部である。この変換部は全てが同じデータ幅で処理されている場合には不要となる。５２３は補間部であり、Ｄ／Ａ変換部５２５でのサンプリング周波数よりも音声データのサンプリング周波数が小さくデータ量が少ないときにデータ補間するものである。また、レジスタ制御部５１３のコントロールレジスタに従い補間方法を変える。このコントロールレジスタはバスＩ／Ｆ制御部５１１を介し、ＣＰＵ５０３から制御される。５２５はＤ／Ａ変換部であり、Ａ／Ｄ，Ｄ／Ａ制御部５１６で設定されたサンプリング周波数に従い、デジタル信号をアナログ信号へ変換するものである。５２６、５３６はＬＰＦ（Ｌｏｗ  Ｐａｓｓ  Ｆｉｌｔｅｒ）であり、高周波成分をカットするフィルタである。ここで、ＬＰＦ５２６のカットオフ周波数はＤ／Ａ変換部５２５のサンプリング周波数の１／２以下の周波数で、ＬＰＦ５３６のカットオフ周波数はＡ／Ｄ変換部５３５のサンプリング周波数の１／２以下の周波数である。５２７、５２８、５３７はアンプであり、信号増幅をするもので、アンプＯＮ＿ＯＦＦ制御部５１４によってＯＮ＿ＯＦＦが制御される。５３３は間引き部であり、Ａ／Ｄ変換部５３５でのサンプリング周波数よりも音声データのサンプリング周波数が小さくデータ量が少ないときにデータ間引きするものであり。また、レジスタ制御部５１３のコントロールレジスタに従い間引き方法を変える。５３５はＡ／Ｄ変換部であり、Ａ／Ｄ，Ｄ／Ａ制御部５１６で設定されたサンプリング周波数に従いアナログ信号をデジタル信号へ変換する。
【００１３】
図２は本発明の画像形成装置の操作パネル１４０のブロック図である。
【００１４】
４０１は操作パネル１４０全体の制御を行うＣＰＵであり、装置の制御手順（制御プログラム）を記憶した読み取り専用メモリ４０３（ＲＯＭ）からプログラムを順次読み取り、実行する。ＣＰＵ４０１のアドレスバスおよびデータバスは４０２のバスドライバー回路、アドレスデコーダ回路をへて各負荷に接続されている。また、４０４は入力データの記憶や作業用記憶領域等として用いる主記憶装置であるところのランダムアクセスメモリ（ＲＡＭ）である。４０５はＩ／Ｏインターフェースであり、キー及びＬＥＤにて構成されるキー／ＬＥＤ部２２２からのキー入力、ＬＥＤへの出力のインターフェースである。２１９は表示を行うＬＣＤ２２１への表示データをコントロールするＬＣＤコントローラであり、表示用のバッファメモリ（ＶＲＡＭ）に一時的に表示データを蓄積し、ＬＣＤ２２１に表示データを転送する。２１６は音声入出力ユニットであり、後述するがハンドセット２１７からの音声入出力、スピーカー２１７への音声出力のための回路を備えている。ＣＰＵ４０１はバスを介して音声データの入出力を行う。また、４０６は外部ＣＰＵとの通信用のＤＰＲＡＭ（デュアルポートＲＡＭ）であり、このＲＡＭを介して、外部ＣＰＵとデータのやり取りを行う。
【００１５】
図３は本発明の画像形成装置の構成を説明する断面図である。
【００１６】
１０１は原稿台ガラスであり、原稿自動送り装置１４２から給送された原稿が順次、所定位置に載置される。１０２は例えばハロゲンランプから構成される原稿照明ランプで、原稿台ガラス１０１に載置された原稿を露光する。１０３、１０４、１０５は走査ミラーであり、図示しない光学走査ユニットに収容され、往復動しながら、原稿からの反射光をＣＣＤユニット１０６に導く。ＣＣＤユニット１０６はＣＣＤに原稿からの反射光を結像させる結像レンズ１０７、例えばＣＣＤから構成される撮像素子１０８、撮像素子１０８を駆動するＣＣＤドライバ１０９等から構成されている。撮像素子１０８からの画像信号出力は例えば８ビットのデジタルデータに変換された後、コントローラ部１３９に入力される。また、１１０は感光ドラムであり、１１２の前露光ランプによって画像形成に備えて除電される。１１３は１次帯電器であり、感光ドラム１１０を一様に帯電させる。１１７は露光手段であり、例えば半導体レーザー等で構成され、画像形成や装置全体の制御を行うコントローラ部１３９で処理された画像データに基づいて感光ドラム１１０を露光し、静電潜像を形成する。１１８は現像器であり、黒色の現像剤（トナー）が収容されている。１１９は転写前帯電器であり、感光ドラム１１０上に現像されたトナー像を用紙に転写する前に高圧をかける。１２０、１２２、１２４は給紙ユニットであり、各給紙ローラ１２１、１２３、１２５の駆動により、転写用紙が装置内へ給送され、レジストローラ１２６の配設位置で一旦停止し、感光ドラム１１０に形成された画像との書き出しタイミングがとられ再給送される。１２７は転写帯電器であり、感光ドラム１１０に現像されたトナー像を給送される転写用紙に転写する。１２８は分離帯電器であり、転写動作の終了した転写用紙を感光ドラム１１０より分離する。転写されずに感光ドラム１１０上に残ったトナーはクリーナー１１１によって回収される。１２９は搬送ベルトで、転写プロセスの終了した転写用紙を定着器１３０に搬送し、例えば熱により定着される。１３１はフラッパであり、定着プロセスの終了した転写用紙の搬送パスを、ステイプルソーター１３２または中間トレイ１３７の配置方向のいずれかに制御する。ステイプルソーター１３２に排紙された用紙は各ビンに仕分けされ、コントローラ部１３９からの指示により１４１のステイプル部１４１がステイプルを行う。また、１３３〜１３６は給送ローラであり、一度定着プロセスの終了した転写用紙を中間トレイ１３７に反転（多重）または非反転（両面）して給送する。１３８は再給送ローラであり、中間トレイ１３７に載置された転写用紙を再度、レジストローラ１２６の配設位置まで搬送する。
【００１７】
１３９のコントローラ部には後述するマイクロコンピュータ、画像処理部等を備えており、操作パネル１４０からの指示に従って、前述の画像形成動作を行う。
【００１８】
図４は画像形成装置におけるコントローラ部１３９のブロック図である。
【００１９】
２０１は画像形成装置全体の制御を行うＣＰＵであり、装置本体の制御手順（制御プログラム）を記憶した読み取り専用メモリ２０３（ＲＯＭ）からプログラムを順次読み取り、実行する。ＣＰＵ２０１のアドレスバスおよびデータバスは２０２のバスドライバー回路、アドレスデコーダ回路をへて各負荷に接続されている。また、２０４は入力データの記憶や作業用記憶領域等として用いる主記憶装置であるところのランダムアクセスメモリ（ＲＡＭ）である。２０５はＩ／Ｏインターフェースであり、操作者がキー入力を行い、装置の状態等を液晶、ＬＥＤを用いて表示する１４０の操作パネルや給紙系、搬送系、光学系の駆動を行うモーター類２０７、クラッチ類２０８、ソレノイド類２０９、また、搬送される用紙を検知するための紙検知センサ類２１０等の装置の各負荷に接続される。現像器１１８には現像器内のトナー量を検知する２１１のトナー残検センサが配置されており、その出力信号がＩ／Ｏポート２０５に入力される。２１５は高圧ユニットであり、ＣＰＵ２０１の指示に従って、前述の１次帯電器１１３、現像器１１８、転写前帯電器１１９、転写帯電器１２７、分離帯電器１２８へ高圧を出力する。
【００２０】
２０６は画像処理部であり、ＣＣＤユニット１０６から出力された画像信号が入力され、後述する画像処理を行い、画像データに従って１１７のレーザーユニットの制御信号を出力する。レーザーユニット１１７から出力されるレーザー光は感光ドラム１１０を照射し、露光するとともに非画像領域において受光センサであるところの２１３のビーム検知センサによって発光状態が検知され、その出力信号がＩ／Ｏポート２０５に入力される。
【００２１】
図５は画像形成装置におけるコントローラ部１３９内の画像処理部２０６のブロック図である。
【００２２】
ＣＣＤ１０８により電気信号に変換された画像信号は、まずシェーディング回路３０１によって画素間のばらつきの補正を行った後、３０２の変倍回路において、縮小コピー時はデータの間引き処理を行い、拡大コピー時はデータの補間を行う。次に、３０３のエッジ強調回路において、例えば５×５のウインドウで２次微分を行い、画像のエッジを強調する。この画像データは輝度データであるのでプリンターに出力するための濃度データに変換するため３０４のγ変換回路でテーブルサーチによりデータ変換を行う。濃度データに変換された画像データは３０５の２値化処理部へ入力される。ここでは例えばＥＤ法により多値データを２値データに変換する。２値に変換された画像データは３０７の合成回路に入力される。合成回路３０７では、入力された画像データと例えばＤＲＡＭにより構成される画像用メモリ３１０内の画像データを選択的に出力する、またはＯＲをとって出力する。この画像用メモリ３１０に対するリードライト制御はメモリ制御部３０９で行う。これらの画像データはレーザーの発光強度の信号に変換するためＰＷＭ回路３０８へ入力され、画像の濃度に従ったパルス幅をレーザーユニットに対して出力する。
【００２３】
操作パネル１４０の構成を図６に示す。ＬＣＤ表示部１０３２は、ＬＣＤ上にタッチパネルシートが貼られており、システムの操作画面を表示するとともに、表示してあるキーが押されるとその位置情報をＣＰＵ４０１に伝える。図７を用いて表示される画面について後述する。テンキー１０２８はコピー枚数など、数字の入力時に使用する。スタートキー１０２９は原稿画像の読み取り動作を開始する時などに用いる。ストップキー１０３０は稼働中の動作を止めるときに使用する。リセットキー１０３１は操作部からの設定を初期化する時に用いる。
【００２４】
また、１０２３はガイドキーであり、キーの機能が解らないとき押すとそのキーの説明が表示される。１０２４はコピーモードキーであり、複写を行うときに押す。１０２５はファクスキーであり、ファクスに関する設定を行うときに押す。１０２６はファイルキーであり、ファイルデータを出力したいときに押す。１０２７はプリンターキーであり、コンピュータ等の外部装置からのプリント出力に関する設定などを行うときに使用する。
【００２５】
１０３３は、音声キーであり、音声の入出力を受け付けるときに、キーを押下して設定を行い、設定をオフにする場合には再度、押下して設定を解除することができる。
【００２６】
２１７はスピーカーで、音声によるガイドがスピーカーを通して出力する。２１８はハンドセットであり、これを使用して音声を入力したり、音声ガイドを聞くことができる。
【００２７】
図７は、操作パネル１４０のＬＣＤ表示部に表示される基本画面である。
【００２８】
１００１は拡張機能キーであり、このキーを押すことによって両面複写、多重複写、移動、とじ代の設定、枠消しの設定等のモードに入る。１００２は画像モードキーであり、複写画像に対して網掛け、影付け、トリミング、マスキングを行うための設定モードに入る。１００３はユーザーモードキーであり、モードメモリの登録、標準モード画面の設定がユーザーごとに行える。１００４は応用ズームキーであり、原稿のＸ方向、Ｙ方向を独立に変倍するモード、原稿のサイズと複写サイズから変倍率を計算するズームプログラムのモードに入る。１００５、１００６、１００７はＭ１キー、Ｍ２キー、Ｍ３キーであり、それぞれのモードメモリを呼び出す際に押す。１００８はコールキーであり、前回設定されていた複写モードを呼び出す際に押す。１００９はオプションキーであり、フィルムから直接複写するためのフィルムプロジェクター等のオプション機能の設定を行う。１０１０はソーターキーであり、ソート出力、グループ出力等のモード設定を行う。１０１１は原稿混載キーであり、原稿フィーダーにＡ４サイズとＡ３サイズ、またはＢ５サイズとＢ４サイズの原稿を一緒にセットする際に押す。１０１２は等倍キーであり、複写倍率を１００％にする際に押す。１０１４、１０１５はそれぞれ縮小キー、拡大キーであり、定形の縮小、拡大を行う際に押す。１０１６はズームキーであり、１％刻みで非定形の縮小、拡大を行う際に押す。１０１３は用紙選択キーであり、複写用紙の選択を行う際に押す。１０１８、１０２０は濃度キーであり、１０１８を押すごとに濃く複写され、１０２０を押すごとに薄く複写される。１０１７は濃度表示であり、濃度キーを押すと表示が左右へ変化する。１０１９はＡＥキーであり、新聞のように地肌の濃い原稿を自動濃度調整複写するときに押す。１０２１はＨｉＦｉキーであり、写真原稿のように中間調の濃度が多い原稿の複写の際に押す。１０２２は文字強調キーであり、文字原稿の複写で文字を際立たせたい場合に押下する。１０３４は音声設定キーであり、音声のボリューム設定等の音声入出力時の各種設定を行う時に押す。
【００２９】
次に、図８、図９、図１０のフローチャートを用いて本発明の画像形成装置の詳細な動作について説明する。
【００３０】
図８は音声キー１０３３が入力されて一定時間後に音声入力モードを自動的に解除する動作について示す。
【００３１】
まず、ＣＰＵ４０１はステップＳ１で操作パネル１４０上の音声キー１０３１が入力されたかどうかを判断する。入力されればステップＳ２でＣＰＵ４０１内のタイマー回路を起動させる。入力されない場合はそのまま終了する。この状態はキーによる入力待ち状態である。次に、ステップＳ３で同じくＲＡＭ４０４内にあらかじめ格納されているタイマー設定データを読み出す。この設定値は例えば操作者が設定することも可能な構成となっており、図７におけるユーザーモードキー１００３を押して、設定モードに入る事ができる。次に、ステップＳ４で、ＣＰＵ４０１内のタイマー回路のタイマー値とＲＡＭ４０４内に格納されているタイマー設定値を比較する。ステップＳ５で比較結果が一致したかどうかを判断し、一致した場合は、ステップＳ６で音声キー１０３３の入力を解除し、キーによる入力待ち状態に戻る。一致しない場合は、音声入力状態を保つ。
【００３２】
図９は音声入力によって設定されたジョブが終了してから一定時間後に音声入力モードを自動的に解除する動作について示す。
【００３３】
まず、ＣＰＵ４０１はステップＳ１で操作パネル１４０上の音声キー１０３１が入力されたかどうかを判断する。入力されればステップＳ２でＣＰＵ２０１が音声入力された複写等のジョブが終了したかどうかを判断する。例えば、図４における紙検知センサ類２１０の中の排紙部に紙があるかどうかを検出する排紙センサをジョブで指定されたすべての複写用紙が通過したかどうかで判断する。あるいは、モーター類２０７の中の感光ドラム等を回転させるメインモーターのＯＦＦによって判断する。ステップＳ２における判断結果はＣＰＵ２０１からＣＰＵ４０１にＤＰＲＡＭ４０６を介して通知される。次に、ＣＰＵ４０１はステップＳ３でＣＰＵ４０１内のタイマー回路を起動させる。入力されない場合はそのまま終了する。この状態はキーによる入力待ち状態である。次に、ステップＳ４で同じくＲＡＭ４０４内にあらかじめ格納されているタイマー設定データを読み出す。この設定値は例えば操作者が設定することも可能な構成となっており、図７におけるユーザーモードキー１００３を押して、設定モードに入る事ができる。次に、ステップＳ５で、ＣＰＵ４０１内のタイマー回路のタイマー値とＲＡＭ４０４内に格納されているタイマー設定値を比較する。ステップＳ６で比較結果が一致したかどうかを判断し、一致した場合は、ステップＳ７で音声キー１０３３の入力を解除し、キーによる入力待ち状態に戻る。一致しない場合は、音声入力状態を保つ。
【００３４】
図１０は音声入力によって設定されたジョブが終了したら音声入力モードを自動的に解除する動作について示す。まず、ＣＰＵ４０１はステップＳ１で操作パネル１４０上の音声キー１０３１が入力されたかどうかを判断する。入力されればステップＳ２でＣＰＵ２０１が音声入力された複写等のジョブが終了したかどうかを判断する。上述した様に、例えば、図４における紙検知センサ類２１０の中の排紙部に紙があるかどうかを検出する排紙センサをジョブで指定されたすべての複写用紙が通過したかどうかで判断する。あるいは、モーター類２０７の中の感光ドラム等を回転させるメインモーターのＯＦＦによって判断する。ステップＳ２における判断結果はＣＰＵ２０１からＣＰＵ４０１にＤＰＲＡＭ４０６を介して通知される。次に、ＣＰＵ４０１はステップＳ３で音声キー１０３３の入力を解除し、キーによる入力待ち状態に戻る。指定されたジョブが終了するまでは音声入力状態を保つ。
【図面の簡単な説明】
【００３５】
【図１】本発明の画像形成装置における音声入出力ユニット２１６のブロック図
【図２】本発明の画像形成装置における操作パネル１４０のブロック図
【図３】本発明の画像形成装置の概略動作を説明するための断面図
【図４】本発明の画像形成装置におけるコントローラ部１３９のブロック図
【図５】コントローラ部１３９内の画像処理部２０６のブロック図
【図６】本発明の画像形成装置における操作パネル１４０の構成を示す概略図
【図７】操作パネル１４０のＬＣＤ表示部に表示される基本画面を示す図
【図８】本発明の画像形成装置の詳細な動作を示したフローチャート
【図９】本発明の画像形成装置の詳細な動作を示したフローチャート
【図１０】本発明の画像形成装置の詳細な動作を示したフローチャート
【符号の説明】
【００３６】
２１６  音声入出力ユニット
２１７  スピーカー
２１８  ハンドセット
５０３  ＣＰＵ
５０４  ＲＯＭ
５０５  ＲＡＭ
５０６  ＤＰＲＡＭ
５１２  タイミング制御部
５１３  レジスタ制御部
５１４  アンプＯＮ＿ＯＦＦ制御部
５１５  割り込み生成部
５１６  Ａ／Ｄ，Ｄ／Ａ制御部
５２１  ＦＩＦＯ
５２２  データ変換部
５２３  補間部
５２４  データ変換部
５２５  Ｄ／Ａ変換部
５２６  ＬＰＦ
５２７，５２８  アンプ
５３１  ＦＩＦＯ
５３２  データ変換部
５３３  間引き部
５３４  データ変換部
５３５  Ａ／Ｄ変換部
５３６  ＬＰＦ
５３７  アンプ
【図１】
2006167961.tif 000003
【図２】
2006167961.tif 000004
【図３】
2006167961.tif 000005
【図４】
2006167961.tif 000006
【図５】
2006167961.tif 000007
【図６】
2006167961.tif 000008
【図７】
2006167961.tif 000009
【図８】
2006167961.tif 000010
【図９】
2006167961.tif 000011
【図１０】
2006167961.tif 000012